(57)【要約】【課題】ユーザーが参照したい対象日付に対応する薬品種別、療法種別、又は有害事象種別などの項目に関する情報を当該項目との関係を容易に把握しつつ確認することが可能な情報管理システム及び情報管理プログラムを提供する。【解決手段】情報管理システム１０では、薬品種別、療法種別、又は有害事象種別を示す第１情報が第１方向Ｄ２１に並べて表示され、日付を示す第２情報が前記第１方向Ｄ２１に垂直な第２方向Ｄ２２に時系列順に並べて表示され、当該第１情報及び当該第２情報の組み合わせに対応する第１領域Ａ１２１、Ａ１３１に当該第１情報に関する第３情報が表示される管理表が表示可能であって、選択された対象日付に対応する前記第３情報を、前記第２方向において前記第１情報に隣接する第２領域Ａ１４、Ａ１５に前記第１領域Ａ１２１、Ａ１３１とは別に表示させる。【選択図】図８
2020187433.tif 000002
【特許請求の範囲】
【請求項１】
薬品種別、療法種別、又は有害事象種別を示す第１情報が第１方向に並べて表示され、日付を示す第２情報が前記第１方向に垂直な第２方向に時系列順に並べて表示され、当該第１情報及び当該第２情報の組み合わせに対応する第１領域に当該第１情報に関する第３情報が表示される管理表を表示可能な表示処理部と、
対象日付の選択操作に応じて当該対象日付を選択する選択処理部と、
を備える情報管理システムであって、
前記表示処理部は、前記選択処理部により選択された前記対象日付に対応する前記第３情報を、前記第２方向において前記第１情報に隣接する第２領域に前記第１領域とは別に表示させる、
情報管理システム。
【請求項２】
前記表示処理部は、前記管理表において、前記第２情報各々に対応して前記第１方向に沿って複数の領域を表示し、前記第１方向における前記第１情報各々に対応する位置に表示される前記領域各々を前記第１領域として当該第１情報各々に関する前記第３情報を表示させる、
請求項１に記載の情報管理システム。
【請求項３】
前記第２領域は、前記第２方向における前記第１情報が表示される領域と前記第２情報のうち最も古い日付が表示される領域との間の領域である、
請求項１又は２に記載の情報管理システム。
【請求項４】
前記表示処理部は、複数の前記管理表を表示可能であり、
前記選択処理部は、前記複数の管理表のいずれかにおける前記対象日付の選択操作を当該複数の管理表についての前記対象日付の選択操作として受け付ける、
請求項１〜３のいずれかに記載の情報管理システム。
【請求項５】
前記表示処理部は、前記第１情報が前記薬品種別である場合、前記薬品種別に対応する薬品の投与量の適否を判定するための判定基準を前記第２領域に表示する、
請求項１〜４のいずれかに記載の情報管理システム。
【請求項６】
前記表示処理部により表示される前記管理表とは表示内容又は表示態様が異なる前記管理表の印刷データを出力可能な印刷処理部を備え、
前記印刷処理部は、前記第１領域に前記第３情報が入力されていない日付の情報が省略された前記管理表の印刷データを出力する、
請求項１〜５のいずれかに記載の情報管理システム。
【請求項７】
前記選択処理部は、前記管理表に表示されている前記第２情報のいずれかに対応する領域の選択操作により当該第２情報が示す日付を前記対象日付として選択する、
請求項１〜６のいずれかに記載の情報管理システム。
【請求項８】
薬品種別、療法種別、又は有害事象種別を示す第１情報が第１方向に並べて表示され、日付を示す第２情報が前記第１方向に垂直な第２方向に時系列順に並べて表示され、当該第１情報及び当該第２情報の組み合わせに対応する第１領域に当該第１情報に関する第３情報が表示される管理表を表示する表示ステップと、
対象日付の選択操作に応じて当該対象日付を選択する選択ステップと、
をコンピュータに実行させるための情報管理プログラムであって、
前記表示ステップは、前記選択ステップにより選択された前記対象日付に対応する前記第３情報を、前記第２方向において前記第１情報に隣接する第２領域に前記第１領域とは別に表示させる、
情報管理プログラム。
【発明の詳細な説明】
【技術分野】
【０００１】
本発明は、患者に対応する薬品種別、療法種別、又は有害事象種別などの情報管理を支援する情報管理システム及び情報管理プログラムに関する。
【背景技術】
【０００２】
患者に対応する薬品種別、療法種別、又は有害事象種別などの情報管理を支援することが可能なシステムが知られている（例えば、特許文献１参照）。より具体的に、この種のシステムでは、薬品種別、療法種別、又は有害事象種別などの項目に関する情報を時系列順で日付ごとに並べて配置する管理画面が表示されることがある。
【先行技術文献】
【特許文献】
【０００３】
【特許文献１】特開２０１８−１８５６３６号公報
【発明の概要】
【発明が解決しようとする課題】
【０００４】
ところで、前記管理画面では、薬品種別、療法種別、又は有害事象種別などの項目に関する情報のうち、ユーザーが参照したい対象日付に対応する情報が、各項目が表示されている領域から遠い位置に表示されている場合には、情報と項目との対応関係を把握しづらいという問題がある。
【０００５】
本発明の目的は、ユーザーが参照したい対象日付に対応する薬品種別、療法種別、又は有害事象種別などの項目に関する情報を当該項目との関係を容易に把握しつつ確認することが可能な情報管理システム及び情報管理プログラムを提供することにある。
【課題を解決するための手段】
【０００６】
本発明に係る情報管理システムは、薬品種別、療法種別、又は有害事象種別を示す第１情報が第１方向に並べて表示され、日付を示す第２情報が前記第１方向に垂直な第２方向に時系列順に並べて表示され、当該第１情報及び当該第２情報の組み合わせに対応する第１領域に当該第１情報に関する第３情報が表示される管理表を表示可能な表示処理部と、対象日付の選択操作に応じて当該対象日付を選択する選択処理部と、を備える。そして、前記表示処理部は、前記選択処理部により選択された前記対象日付に対応する前記第３情報を、前記第２方向において前記第１情報に隣接する第２領域に前記第１領域とは別に表示させる。
【０００７】
本発明に係る情報管理プログラムは、薬品種別、療法種別、又は有害事象種別を示す第１情報が第１方向に並べて表示され、日付を示す第２情報が前記第１方向に垂直な第２方向に時系列順に並べて表示され、当該第１情報及び当該第２情報の組み合わせに対応する第１領域に当該第１情報に関する第３情報が表示される管理表を表示する表示ステップと、対象日付の選択操作に応じて当該対象日付を選択する選択ステップと、をコンピュータに実行させるための情報管理プログラムである。そして、前記表示ステップは、前記選択ステップにより選択された前記対象日付に対応する前記第３情報を、前記第２方向において前記第１情報に隣接する第２領域に前記第１領域とは別に表示させる。
【発明の効果】
【０００８】
本発明によれば、ユーザーが参照したい対象日付に対応する薬品種別、療法種別、又は有害事象種別などの項目に関する情報を当該項目との関係を容易に把握しつつ確認することが可能な情報管理システム及び情報管理プログラムが提供される。
【図面の簡単な説明】
【０００９】
【図１】図１は、本発明の実施形態に係る情報管理システムの構成を示すブロック図である。
【図２】図２は、本発明の実施形態に係る情報管理システムで使用される有害事象マスターの一例を示す図である。
【図３】図３は、本発明の実施形態に係る情報管理システムで使用される薬歴データの一例を示す図である。
【図４】図４は、本発明の実施形態に係る情報管理システムで使用される療法歴データの一例を示す図である。
【図５】図５は、本発明の実施形態に係る情報管理システムで使用される検査データの一例を示す図である。
【図６】図６は、本発明の実施形態に係る情報管理システムで使用される有害事象データの一例を示す図である。
【図７】図７は、本発明の実施形態に係る情報管理システムで実行される情報管理処理の一例を示すフローチャートである。
【図８】図８は、本発明の実施形態に係る情報管理システムで表示される表示画面の一例である。
【図９】図９は、本発明の実施形態に係る情報管理システムで印刷される確認シートの一例である。
【図１０】図１０は、本発明の実施形態に係る情報管理システムで表示される表示画面の一例を示す図である。
【図１１】図１１は、本発明の実施形態に係る情報管理システムで表示される表示画面の一例である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定する性格のものではない。
【００１１】
［情報管理システム１０］
図１に示すように、本発明の実施形態に係る情報管理システム１０は、サーバー１、クライアント端末２、及びプリンター３などを備える。前記サーバー１、前記クライアント端末２、及びプリンター３は、通信網４を介して無線又は有線で通信可能に接続される。前記通信網４は、ＬＡＮ、ＷＡＮ、インターネット、又はイントラネットなどである。また、前記サーバー１には、前記通信網４を介して上位システム５が接続される。なお、前記情報管理システム１０のユーザーは、例えば病院、介護老人保険施設、又は薬局などの医療機関における医師、薬剤師、テクニシャン、医療事務員、又は施設管理者などである。
【００１２】
前記情報管理システム１０では、前記サーバー１が、ユーザーによる前記クライアント端末２の操作に応じて、患者各々についての薬歴、療法歴、有害事象などの各種の情報を前記クライアント端末２に表示させることが可能である。なお、前記クライアント端末２は、前記サーバー１から送信される表示データに基づいて表示画面を制御し、又は前記サーバー１に記憶されている各種のデータを参照して表示画面を制御する。また、前記サーバー１は、ユーザーによる前記クライアント端末２に対する操作入力を受け付け可能である。具体的に、本実施形態では、前記サーバー１及び前記クライアント端末２によりサーバクライアントシステムが構成されており、前記サーバー１が前記クライアント端末２のユーザー操作に応じて表示及び印刷などの各種の処理を実行する場合について説明する。そのため、本実施形態において、以下に説明する「表示」、「操作」、「選択」、及び「入力」等は、前記クライアント端末２を用いて行われるものとして説明する。なお、同様の表示及び操作などが前記サーバー１で行われてもよい。
【００１３】
前記上位システム５は、例えば電子カルテシステム、オーダーリングシステム、又はレセプトシステムなどである。そして、前記上位システム５は、患者に対する薬品の処方又は投薬に関する処方データ、患者について行われた各種の検査の検査結果に関する検査結果情報、及び患者の身体情報に関する患者データなどを前記サーバー１に入力する。なお、前記サーバー１が前記上位システム５から前記処方データ、前記検査結果情報、及び前記患者データなどを能動的に読み出す構成であってもよい。なお、前記処方データには、予め設定された療法（レジメン）に従って抗がん剤などの薬品を投与するための調製データも含まれる。また、前記患者データには、患者各々の身長、体重、体表面積などの身体情報と当該身体情報各々の計測日を示す計測日情報とが含まれる。なお、前記患者データは、前記処方データ又は前記検査結果情報に含まれていてもよい。
【００１４】
前記処方データには、患者識別情報（患者ＩＤ、患者氏名）、処方日、調製日、投薬日、薬品情報（薬品コード、薬品名など）、用量・用法、療法識別情報などが含まれる。前記療法識別情報は、例えば当該療法識別情報に対応する療法を識別可能な療法名（レジメン名）又は療法ＩＤなどである。なお、前記処方データに、前記療法識別情報に対応する療法の内容を示す療法情報が含まれていてもよい。また、前記処方データには、医師情報、薬品容器の種類（薬液入りアンプル、薬液入りバイアル瓶、粉薬入りバイアル瓶、又は輸液バッグなど）、調製内容情報（混注作業に使用する薬品容器、注射器、注射針の種類及び本数等）、及び調製手順情報（作業内容、溶解薬、溶媒、溶解薬量、溶媒量、抜取量）、投薬日、処方箋区分、診療科、病棟などの情報が含まれていてもよい。
【００１５】
［プリンター３］
前記プリンター３は、前記サーバー１又は前記クライアント端末２から前記通信網４を介して入力される印刷データに含まれる情報を紙などのシートに記録する印刷処理を実行可能なカラープリンター又はモノクロプリンターなどの画像形成装置である。例えば、病院又は薬局等の医療機関では、前記プリンター３によって前記処方データに基づく処方箋が印刷されることがある。また、前記プリンター３は、前記情報管理システム１０において後述の確認シートＰ１１（図１３参照）の印刷にも用いられる。
【００１６】
［クライアント端末２］
前記クライアント端末２は、制御部２１、記憶部２２、通信Ｉ／Ｆ２３、表示装置２４、操作装置２５、及びドライブ装置２６などを備えるパーソナルコンピュータである。前記クライアント端末２各々は、前記情報管理システム１０が使用される医療機関に配置され、ユーザーによって操作される操作端末である。例えば、前記クライアント端末２は、前記医療機関において患者に投与される薬品を調製する薬剤師などによって使用される。なお、前記クライアント端末２は、スマートフォン、タブレット端末、ラップトップコンピュータなどの情報処理装置であってもよい。
【００１７】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００１８】
前記記憶部２２は、前記制御部２１によって実行される各種の制御プログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網４を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。例えば、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００１９】
前記通信Ｉ／Ｆ２３は、前記通信網４を介して前記サーバー１、及び前記プリンター３などの外部機器との間で、予め定められた通信プロトコルに従って無線又は有線でデータ通信を実行するネットワークカード等を有する通信インターフェースである。
【００２０】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。そして、前記制御部２１は、前記操作装置２５に対するユーザー操作を受け付け、当該ユーザー操作の内容を前記サーバー１に入力する。
【００２１】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１にインストールされる。
【００２２】
［サーバー１］
前記サーバー１は、制御部１１、記憶部１２、通信Ｉ／Ｆ１３、表示装置１４、操作装置１５、及びドライブ装置１６などを備えるコンピュータである。なお、前記サーバー１は、前記情報管理システム１０が使用される病院又は薬局等の医療機関の外部に設けられてもよい。また、前記サーバー１は、スマートフォン、タブレット端末、又はラップトップコンピュータなどの情報処理装置であってもよい。
【００２３】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００２４】
前記記憶部１２は、前記制御部１１によって実行される各種の制御プログラム及び各種のデータが記憶されるハードディスク又はＳＳＤ等の不揮発性の記憶部である。また、前記記憶部１２には、プログラム記憶部１２１、マスター記憶部１２２、及び情報記憶部１２３が含まれる。
【００２５】
前記プログラム記憶部１２１は、後述の情報管理処理（図７参照）を前記制御部１１に実行させるための情報管理プログラムなどが記憶される記憶領域である。なお、前記プログラム記憶部１２１には、オペレーティングシステム（ＯＳ）などのプログラムも記憶される。
【００２６】
前記マスター記憶部１２２は、薬品マスター、患者マスター、診療科マスター、薬剤師マスター、療法マスター、有害事象マスターＤ１などの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。前記患者マスターには、各患者について、例えば患者名、患者ＩＤ、性別、年齢、飲酒有無、喫煙有無、及び病名などの情報が含まれる。前記診療科マスターには、前記情報管理システム１０が使用される医療機関の各種の診療科の情報が含まれる。
【００２７】
ここに、図２は、前記有害事象マスターＤ１の一例を示す図である。なお、前記有害事象マスターＤ１のデータ構造はここで説明するものに限らない。例えば、前記有害事象マスターＤ１が複数のマスターに分割して関連付けられた状態で前記マスター記憶部１２２に記憶されていてもよい。
【００２８】
前記有害事象マスターＤ１では、検査種別及び自覚症状種別の一方又は両方を含む有害事象の種別を示す有害事象種別と、当該有害事象の内容などの情報とが対応付けられている。具体的に、図２に示されるように、前記有害事象マスターＤ１では、事象ＩＤ、事象名称、検査ＩＤ、グレード条件、数値フラグ、変更可否フラグ、関連事象、症状種別などの情報が対応付けて記憶されている。前記事象ＩＤは、予め設定された有害事象の種別を示す有害事象種別を識別するための有害事象識別情報であり、前記事象名称は、前記有害事象種別各々の名称を示す情報である。前記検査ＩＤは、対応する前記有害事象のグレードを判定するために用いられる検査項目を識別するための検査識別情報である。前記症状種別は、前記有害事象が他覚症状であるか自覚症状であるかを示す情報である。ここで、前記自覚症状は、患者が自ら発見することのできる症状であり、前記他覚症状は、患者について行われた検査の結果に応じて発見することのできる客観的な症状である。
【００２９】
前記グレード条件は、予め定められている特定の規準に従って前記有害事象のグレードを分類するための分類指標である。具体的に、本実施形態において、前記特定の規準は、前記有害事象のグレードの分類指標が定められた有害事象共通用語規準（ＣＴＣＡＥ：Ｃｏｍｍｏｎ  Ｔｅｒｍｉｎｏｌｏｇｙ  Ｃｒｉｔｅｒｉａ  ｆｏｒ  Ａｄｖｅｒｓｅ  Ｅｖｅｎｔｓ）である。なお、前記有害事象マスターＤ１に登録される規準は前記有害事象共通用語規準で定められた原文に限らず、例えば前記制御部１１が前記有害事象共通用語規準に基づいてグレードを判定可能な態様に編集された後の規準であってもよい。
【００３０】
本実施形態において、前記有害事象のグレードの種別は「０」〜「４」の５段階で定められており、数値が高いほど症状が重いことを示す情報である。なお、前記ＣＴＣＡＥではグレード「５」についても規定されているが、グレード「５」については必要性が低いため、本実施形態に係る前記情報管理システム１０では、グレード「５」は使用しないこととする。
【００３１】
そして、前記グレード条件では、前記グレード各々を数値で判定する場合の指標として用いられる数値の範囲が登録可能である。例えば、前記制御部１１は、前記ＣＴＣＡＥに示された規準から前記グレード各々に対応する範囲を自動的に抽出して登録することが考えられる。さらに、前記制御部１１は、不図示のマスター登録画面におけるユーザー操作に応じて、前記有害事象マスターＤ１に前記グレード各々に対応する範囲を登録可能であってもよい。前記変更可否フラグは、前記制御部１１によって自動的に前記グレードが設定された場合に当該グレードをユーザー操作に応じて任意に変更可能であるか否かを示す情報である。なお、前記制御部１１は、前記数値フラグが「０」である場合には、各グレードに対応する前記変更可否フラグを全て「１（可）」に設定する。
【００３２】
また、前記数値フラグは、前記有害事象のグレードの少なくとも一部が検査値又は任意に入力される状態値のような数値に応じて判定可能であるか否かを示す情報である。例えば、前記制御部１１は、前記グレード条件における範囲の情報として数値が入力された場合に前記数値フラグを「１（可）」に設定する。また、前記制御部１１は、ユーザー操作に応じて前記数値フラグを設定可能である。前記関連事象は、前記有害事象が表示される際に当該有害事象に並べて又は当該有害事象の近くに表示されるべき情報として予め登録された一又は複数の有害事象を識別するための一又は複数の事象ＩＤを含む情報である。
【００３３】
例えば、前記有害事象マスターＤ１において、前記有害事象のうち他覚症状である「血小板数減少」については、前記検査ＩＤが「０１２３４５５」である検査の検査値に応じて患者の当該有害事象についてのグレードを分類することが可能であり、前記グレード条件では、各グレードに対応する前記検査値の範囲が分類指標として定められている。具体的に、グレード「０」は、「検査値≧１５８，０００」、グレード「１」は、「１５８，０００＞検査値≧７５，０００」、グレード「２」は、「７５，０００＞検査値≧５０，０００」、グレード「３」は、「５０，０００＞検査値≧２５，０００」、グレード「４」は、「２５，０００＞検査値」である。なお、前記制御部１１は、前記有害事象マスターＤ１において各グレードのグレード条件として設定される検査値の範囲をユーザー操作に応じて任意に変更することも可能である。また、各グレードに対応する前記検査値の範囲は、例えば患者の性別ごとに予め設定されており、前記制御部１１は、患者の性別に応じて前記グレードの判定に用いる前記検査値の範囲を変更することも可能である。
【００３４】
また、前記有害事象マスターＤ１において、前記有害事象のうち自覚症状である「発熱」については、患者の発熱についての状態を示す状態値（例えば体温）に応じて患者の当該有害事象についてのグレードを分類することが可能であり、前記グレード条件では、各グレードに対応する体温が分類指標として定められている。一方、前記有害事象マスターＤ１において、前記有害事象のうち同様の自覚症状である「手足のしびれ」については、数値に応じて患者の当該有害事象についてのグレードを分類することができず、前記グレード条件では、各グレードに対応する手足のしびれについての症状の軽重が分類指標として定められている。
【００３５】
前記療法マスターには、療法識別情報ごとに予め定められている各種の療法の内容を示す療法情報が含まれる。これにより、前記制御部１１は、前記療法マスターに基づいて、任意の療法に従った患者への投薬が適正に行われているか否かを判断することが可能である。具体的に、前記療法情報には、療法に基づいて投与される薬品名、基準投与量（体重又は体表面積当りの投与量）、投与時間、投与回数、各投与日（投与間隔）、及び１クールの長さなどの投与計画に関する情報が含まれる。また、前記上位システム５における前記処方データの生成時には、前記療法に対応する薬品などの情報と共に、前記療法情報を識別するための療法ＩＤ又は療法名などの療法識別情報が前記処方データに付与される。
【００３６】
なお、前記制御部１１は、前記マスター記憶部に記憶されている各種のマスター情報を、前記上位システム５から取得する情報に基づいて随時更新可能である。また、前記制御部１１は、前記サーバー１又は前記クライアント端末２を用いたユーザー操作に応じて各種のマスター情報を編集することも可能である。
【００３７】
前記情報記憶部１２３は、前記処方データ、薬歴データＤ１１、療法歴データＤ１２、検査データＤ１３、有害事象データＤ１４などの各種の情報が記憶される記憶領域である。なお、前記制御部１１は、前記処方データを前記上位システム５から取得して前記情報記憶部１２３に蓄積して記憶させる。
【００３８】
ここに、図３、図４、図５、図６は、それぞれ前記薬歴データＤ１１、前記療法歴データＤ１２、前記検査データＤ１３、前記有害事象データＤ１４の一例を示す図である。
【００３９】
前記薬歴データＤ１１は、患者各々の薬品の処方履歴を示す情報である。例えば、図３に示すように、前記薬歴データＤ１１は、患者ＩＤ（患者識別情報）、患者氏名（患者識別情報）、処方日、薬品名（薬品識別情報）、病棟、用法・用量、診療科、担当医などの情報を含む。
【００４０】
前記療法歴データＤ１２は、患者各々の療法に従った薬品の投薬履歴を示す情報である。例えば、図４に示すように、前記療法歴データＤ１２は、患者ＩＤ（患者識別情報）、患者氏名（患者識別情報）、投与日、療法名（療法識別情報）、病棟、クール情報、計画診療科、計画医などの情報を含む。また、前記療法歴データＤ１２には、前記療法に従って投薬された薬品の投与量、及び前記投与日における患者の身体情報などが含まれる。
【００４１】
なお、前記制御部１１は、前記処方データに基づいて前記薬歴データＤ１１及び前記療法歴データＤ１２を更新する。また、前記制御部１１は、前記サーバー１又は前記クライアント端末２を用いたユーザー操作に応じて前記薬歴データＤ１１又は前記療法歴データＤ１２を編集することが可能である。即ち、前記制御部１１は、ユーザー操作に応じて、前記薬歴データＤ１１又は前記療法歴データＤ１２を編集することにより、患者各々の薬歴又は療法歴を記録することが可能である。そのため、前記薬歴データＤ１１は、未来の服薬予定及び過去の薬歴の情報を含み、前記療法歴データＤ１２は、未来の療法予定及び過去の療法歴の情報を含むことがある。
【００４２】
前記検査データＤ１３は、患者各々について実施された各検査項目についての検査値などの検査結果を含む情報である。例えば、図５に示すように、前記検査データＤ１３は、患者ＩＤ（患者識別情報）、患者氏名（患者識別情報）、検査日、検査ＩＤ（検査識別情報）、検査項目（検査識別情報）、検査結果などの情報を含む。前記制御部１１は、前記上位システム５から取得する患者の前記検査結果情報、或いは、前記サーバー１又は前記クライアント端末２に挿入されるＵＳＢメモリ又はＣＤなどの記録媒体から読み取られる患者の前記検査結果情報に基づいて前記検査データＤ１３を更新する。なお、患者各々に対応する前記検査結果情報が前記検査データＤ１３として前記情報記憶部１２３に記憶されていてもよい。
【００４３】
前記有害事象データＤ１４は、患者各々についての自覚症状及び他覚症状などの有害事象のデータを示す情報である。例えば、図６に示すように、前記有害事象データＤ１４は、患者ＩＤ（患者識別情報）、患者氏名（患者識別情報）、日付、有害事象ＩＤ（有害事象識別情報）、事象名称（有害事象識別情報）、グレードなどの情報を含む。前記制御部１１は、前記上位システム５から取得する前記検査結果情報（又は前記検査データＤ１３）、或いは、前記サーバー１又は前記クライアント端末２に対して任意に入力される患者の自覚症状の情報などに基づいて前記有害事象データＤ１４を更新する。また、前記制御部１１は、後述の管理画面Ｐ１におけるユーザー操作に応じて前記有害事象データＤ１４を更新することも可能である。
【００４４】
具体的に、前記制御部１１は、前記有害事象のうち予め設定された検査項目の検査結果に応じて前記グレードが分類可能な他覚症状については、前記患者の検査データに基づいて前記グレードを前記有害事象データＤ１４に登録する。即ち、前記制御部１１は、患者各々の有害事象のうち他覚症状のグレードを前記検査データＤ１３と前記有害事象マスターＤ１とに基づいて自動的に判定することが可能である。前記制御部１１による前記有害事象データＤ１４の更新タイミングは、前記検査データＤ１３が更新されたとき、後述の管理画面Ｐ１の表示要求があったとき、予め設定された時刻が到来したとき、予め設定された時間間隔が経過したとき、又はユーザーによる更新操作が行われたとき等である。
【００４５】
また、前記制御部１１は、前記有害事象の自覚症状のうち患者の状態を示す状態値のような数値入力に応じて前記グレードが分類可能な第１自覚症状については、薬剤師のようなユーザーによる数値入力に応じて前記グレードを前記有害事象データＤ１４に登録する。即ち、前記制御部１１は、前記第１自覚症状の数値と前記有害事象マスターＤ１とに基づいて前記グレードを判定することが可能である。また、前記制御部１１は、前記自覚症状のうち前記第１自覚症状を除く第２自覚症状については、後述の管理画面Ｐ１（図８参照）又は自覚症状の登録画面（不図示）等におけるユーザー操作に応じて前記第２自覚症状各々のグレードを前記有害事象データＤ１４に登録することが可能である。例えば、前記第１自覚症状は、「発熱」、「下痢」などであり、前記第２自覚症状は、「嘔吐」、「手足のしびれ」などである。
【００４６】
前記通信Ｉ／Ｆ１３は、前記通信網４を介して前記クライアント端末２、及び前記プリンター３などの外部機器との間で、予め定められた通信プロトコルに従って無線又は有線でデータ通信を実行するネットワークカード等を有する通信インターフェースである。
【００４７】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００４８】
前記ドライブ装置１６は、前記情報管理プログラムが非一時的に記録されたコンピュータ読み取り可能な記録媒体１６１から前記情報管理プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記情報管理プログラムが前記記憶部１２の前記プログラム記憶部１２１にインストールされる。
【００４９】
そして、前記サーバー１の前記制御部１１は、取得処理部１１１、表示処理部１１２、選択処理部１１３、印刷処理部１１４を含む。具体的に、前記制御部１１は、前記情報管理プログラムに従って後述の情報管理処理（図７参照）などの各種の処理を実行することにより、取得処理部１１１、表示処理部１１２、選択処理部１１３、印刷処理部１１４などの各種の処理部として機能する。即ち、本実施形態では、前記サーバー１単体が本発明に係る情報管理システムである。なお、前記制御部１１は、複数のプロセッサーを備え、当該複数のプロセッサーのいずれかが前記各種の処理部として機能してもよい。また、前記各種の処理部の一部又は全部が電子回路で構成されていてもよい。
【００５０】
また、前記サーバー１の機能の一部又は全部が前記クライアント端末２に設けられることも他の実施形態として考えられる。例えば、前記クライアント端末２に、前記情報管理プログラムの一部又は全部がインストールされており、前記クライアント端末２の前記制御部２１が、前記サーバー１から必要な情報を適宜取得して、後述の情報管理処理（図７参照）を実行することも考えられる。この場合、前記クライアント端末２が本発明に係る情報管理システムの一例である。さらに、前記情報管理システム１０において、前記サーバー１及び前記クライアント端末２が協働して後述の情報管理処理（図７参照）を実行することも考えられる。
【００５１】
前記取得処理部１１１は、有害事象のグレードの分類指標が定められた前記ＣＴＣＡＥのような特定の規準に従った患者の日付ごとの有害事象のグレードを取得することが可能である。具体的に、前記取得処理部１１１は、前記有害事象データＤ１４から、当該有害事象データＤ１４に記録されている患者各々の有害事象のグレードを取得することが可能である。
【００５２】
前記表示処理部１１２は、前記薬歴データＤ１１、前記療法歴データＤ１２、前記検査データＤ１３、前記有害事象データＤ１４などに基づいて、時系列順に並べられた日付ごとに、薬品種別、療法種別、又は有害事象種別を示す種別情報を表示するための処理を実行する。具体的に、前記表示処理部１１２は、前記種別情報が縦方向又は横方向である第１方向Ｄ２１に並べて表示され、日付を示す日付情報が前記第１方向Ｄ２１に垂直な横方向又は縦方向である第２方向Ｄ２２に時系列順に並べて表示され、当該種別情報及び当該日付情報の組み合わせに対応する第１領域に当該種別情報に関する関連情報が表示される管理表を表示可能である。なお、本実施形態では、前記種別情報が第１情報、前記日付情報が第２情報、前記関連情報が第３情報に相当する。特に、前記表示処理部は、前記種別情報及び前記日付情報の組み合わせのうち対応する前記関連情報が存在する前記日付情報と前記関連情報が存在しない前記日付情報とを共に表示させる。これにより、ユーザーは、前記関連情報の遷移を容易に把握することが可能である。また、前記表示処理部１１２は、一又は複数の前記管理表を含む管理画面Ｐ１（図８参照）を表示することが可能である。なお、前記管理画面Ｐ１については後段で詳述する。
【００５３】
前記選択処理部１１３は、ユーザーが注目したい日付である対象日付の選択操作に応じて当該対象日付を選択する。具体的に、前記選択処理部１１３は、前記管理画面Ｐ１に表示される前記管理表において特定の日付を選択するためのユーザー操作により前記対象日付の選択を受け付ける。また、前記選択処理部１１３は、前記対象日付をテキストで入力する操作又は前記対象日付をカレンダーから指定する操作により前記対象日付の選択を受け付けてもよい。そして、前記表示処理部１１２は、前記選択処理部１１３により選択された前記対象日付に対応する前記関連情報を、前記第２方向Ｄ２２において前記種別情報に隣接する第２領域に前記第１領域とは別に表示させる。
【００５４】
前記印刷処理部１１４は、前記管理表に対応する印刷データを出力可能である。具体的に、前記印刷処理部１１４は、前記印刷データを前記プリンター３に送信することにより、当該印刷データに基づく前記管理表を前記プリンター３で印刷することが可能である。例えば、前記印刷処理部１１４は、ユーザーによる前記管理画面Ｐ１の印刷要求操作に応じて、当該管理画面Ｐ１に表示される前記管理表に対応する印刷データを生成し、当該印刷データを出力する。ところで、前記印刷データは、前記管理画面Ｐ１をそのまま印刷するためのデータであってもよいが、前記管理画面Ｐ１とは表示内容又は表示態様が異なるデータであってもよい。例えば、前記印刷データは、前記種別情報及び前記日付情報の組み合わせのうち対応する前記関連情報が存在する前記日付情報を含み、前記関連情報が存在しない前記日付情報を含まない態様の前記管理表を含む確認シートＰ１１（図９参照）を印刷するためのデータである。なお、前記確認シートＰ１１については後段で詳述する。
【００５５】
ところで、前記表示処理部１１２によって前記管理画面Ｐ１に表示される前記管理表において、薬品種別、療法種別、又は有害事象種別などの項目に関する情報のうち、ユーザーが参照したい対象日付に対応する情報が、項目が表示されている領域から遠い領域に表示されている場合には、その情報と項目との関係を把握しづらくなる。これに対し、本実施形態に係る情報管理システム１０では、ユーザーが参照したい対象日付に対応する薬品種別、療法種別、又は有害事象種別などの項目に関する情報を当該項目との関係を容易に把握しつつ確認することが可能なである。
【００５６】
［情報管理処理］
以下、図７のフローチャートを参照しつつ、前記サーバー１の前記制御部１１によって実行される情報管理処理の一例について説明する。前記制御部１１は、任意の患者を処理対象として選択し、前記情報管理プログラムを実行させるための予め設定された特定の開始操作が前記クライアント端末２に対して行われた場合に、前記情報管理処理を実行する。なお、前記制御部１１は、複数の前記クライアント端末２において前記特定の開始操作が行われた場合には、当該クライアント端末２各々に対応して前記情報管理処理を略並行して実行することが可能である。また、前記情報管理処理は、当該情報管理処理の実行中であっても前記クライアント端末２に対する所定の終了操作に応じて終了することがある。なお、本発明は、前記サーバー１のようなコンピュータによって前記情報管理処理の一部又は全部のステップを実行する情報管理方法の発明として捉えてもよい。
【００５７】
＜ステップＳ１＞
ステップＳ１において、前記制御部１１は、前記処理対象として選択された患者の薬歴、療法歴、又は有害事象などの各種の情報を示す一又は複数の管理表を含む管理画面Ｐ１を前記クライアント端末２に表示させる。本実施形態では、前記療法歴及び前記有害事象に対応する二つの前記管理表が前記管理画面Ｐ１に表示される場合を例に挙げて説明する。なお、前記管理表を表示するための前記ステップＳ１が本発明に係る表示ステップの一例であり、当該表示ステップは前記制御部１１の表示処理部１１２によって実行される。
【００５８】
具体的に、前記制御部１１は、前記クライアント端末２に前記管理画面Ｐ１を表示させるための表示データを生成し、当該表示データを前記クライアント端末２に送信することにより、前記クライアント端末２の表示装置２４に前記管理画面Ｐ１を表示させる。なお、前記制御部１１が、前記クライアント端末２に前記管理画面Ｐ１の表示に必要なデータを送信し、前記制御部２１が前記表示データを生成して前記管理画面Ｐ１を前記表示装置２４に表示してもよい。即ち、前記管理画面Ｐ１の表示データの生成及び更新などの処理は、前記サーバー１又は前記クライアント端末２のいずれで行われてもよい。
【００５９】
ここに、図８は、前記管理画面Ｐ１の一例を示す図である。図８に示されるように、前記管理画面Ｐ１には、患者情報表示部Ａ１１、療法歴表示部Ａ１２、有害事象表示部Ａ１３などが表示される。なお、本実施形態では、図８に示す前記管理画面Ｐ１の全体が前記クライアント端末２の表示装置２４に表示されている場合を例に挙げて説明するが、前記表示装置２４に図８に示す前記管理画面Ｐ１の一部が表示されており、前記クライアント端末２における所定のスクロール操作などに応じて縦又は横のスクロール表示が可能であってもよい。
【００６０】
前記患者情報表示部Ａ１１において、前記制御部１１は、前記管理画面Ｐ１に薬歴、療法歴、又は有害事象などが表示される前記対象患者の情報を、前記患者マスター等に基づいて表示する。例えば、前記対象患者の情報としては、当該対象患者の患者ＩＤ、患者氏名、年齢、性別、病棟などの情報が表示される。
【００６１】
前記療法歴表示部Ａ１２において、前記制御部１１は、前記対象患者の療法歴を示す管理表を前記療法歴データＤ１２等に基づいて表示する。具体的に、前記管理表では、前記療法種別及び前記薬品種別が前記第１方向Ｄ２１に並べて表示され、前記日付が前記第２方向Ｄ２２に時系列順に並べて表示され、当該療法種別又は当該薬品種別と当該日付との組み合わせ各々に対応する個別領域Ａ１２１がマトリクス状に表示される。より具体的に、前記制御部１１は、前記療法歴表示部Ａ１２の管理表において、前記日付各々に対応して前記第１方向Ｄ２１に沿って複数の領域を表示する。ここで、前記領域各々は、前記第１方向Ｄ２１において前記療法種別又は前記薬品種別各々に対応する位置にそれぞれ表示される。そして、前記制御部１１は、前記第１方向Ｄ２１における前記療法種別又は前記薬品種別各々に対応する位置に表示される前記領域各々を前記個別領域Ａ１２１として、当該療法種別又は当該薬品種別各々に関する前記関連情報を表示させる。即ち、前記管理表では、特定の療法種別又は薬品種別が表示された位置を通過する前記第２方向Ｄ２２に平行な仮想線分と、特定の日付が表示された位置を通過する前記第１方向Ｄ２１に平行な仮想線分とが交差する位置に表示される前記領域が、当該特定の療法種別又は当該特定の薬品種別と当該特定の日付との組み合わせに対応する前記個別領域Ａ１２１である。なお、前記個別領域Ａ１２１は、本発明における第１領域に相当する。
【００６２】
例えば、図８の前記療法歴表示部Ａ１２では、前記療法種別の一例である「ＡＢＣ療法」、「ＤＥＦ療法」と、前記薬品種別の一例である「Ｅ薬品」、「Ｆ薬品」、「Ｇ薬品」とが前記第１方向Ｄ２１に沿って表示されている。また、図８の前記療法歴表示部Ａ１２では、前記日付の一例である「５／２８」〜「６／１２」が前記第２方向Ｄ２２に沿って時系列順で表示されている。なお、前記制御部１１は、前記療法歴表示部Ａ１２において、後述の特定領域Ａ１４を除き前記第２方向Ｄ２２の最初に表示される日付（図８では「５／２８」）、及び月が切り替わった直後の日付（図８では「６／１」）については、「月」及び「日」を表示するが、その他の日付については「月」の表示を省略して「日」のみを表示する。
【００６３】
また、前記制御部１１は、前記管理画面Ｐ１の初期表示時には、前記本日に対応する日付が最も右側に表示されるように前記日付情報が表示されている。そして、前記制御部１１は、前記管理画面Ｐ１に表示される操作部Ｋ１２の操作に応じて、前記管理画面Ｐ１における表示対象の日付を変更することが可能である。なお、前記制御部１１は、前記操作部Ｋ１２が操作された場合には、前記管理画面Ｐ１に表示される複数の前記管理表における表示対象の日付を連動して変更する。一方、前記管理表ごとに対応して前記操作部Ｋ１２が表示されており、当該操作部Ｋ１２の操作に応じて前記管理表における表示対象の日付を個別に変更してもよい。
【００６４】
そして、前記制御部１１は、前記個別領域Ａ１２１各々に、前記療法種別又は前記薬品種別と前記日付との組み合わせに対応する前記療法種別又は前記薬品種別に関する前記関連情報を、前記薬歴データＤ１１又は前記療法歴データＤ１２等に基づいて表示させる。
【００６５】
具体的に、前記療法種別に対応する前記関連情報は、投薬実施済の情報、投薬予定の情報、及び投薬が前記療法種別に対応する療法に従って適正に行われたか否かを示す投薬適否の情報などである。そして、前記療法種別に対応する前記個別領域Ａ１２１では、投薬実施済の情報が、塗りつぶし有りの星マーク等の図柄で表示され、投薬予定の情報が、塗りつぶし無しの星マーク等の図柄で表示される。また、前記療法種別に対応する前記個別領域Ａ１２１では、投薬適否の情報が当該個別領域Ａ１２１の背景柄、背景色、又は文字色で表示される。例えば、投薬が適正である場合には、前記個別領域Ａ１２１の背景色が、前記管理画面Ｐ１の背景色と同じ白色などの色で表示され、投薬が適正でない場合には、前記個別領域Ａ１２１の背景色が、前記管理画面Ｐ１の背景色とは異なる赤色などの色（図８における斜線部）で表示される。
【００６６】
なお、前記制御部１１は、前記療法マスター及び前記療法歴データＤ１２に基づいて、患者への投薬が前記療法種別に対応する療法に従って適正に行われたか否かを判定することが可能である。例えば、前記制御部１１は、前記療法歴データＤ１２に療法歴として記録される各投与日の間隔が、前記療法マスターで定められている前記療法における各投与日（投与間隔）の間隔と異なる場合に、患者への投薬が適正でないと判定する。具体的に、前記療法マスターにおいて前記療法の投与日が１日目及び８日目と定められている場合、前記療法歴データＤ１２における患者への投薬日が１日目及び９日目である場合に投薬が適正でないと判定される。また、前記制御部１１は、前記療法歴データＤ１２に療法歴を記録する際に、患者への投薬が前記療法種別に対応する療法に従って適正に行われたか否かを判定し、当該判定結果を前記療法歴データＤ１２に記録し、前記関連情報の表示の際にその記録内容を参照してもよい。
【００６７】
また、前記薬品種別に対応する前記関連情報は、当該薬品種別に対応する薬品の投与量、及び当該薬品の投与量が予め設定された適正量（判定基準の一例）の範囲内であるか否かを示す投与量適否の情報などである。例えば、前記薬品種別に対応する前記個別領域Ａ１２１では、前記薬品の投与量が数値で表示されている。また、前記薬品種別に対応する前記個別領域Ａ１２１では、前記投与量適否の情報が当該個別領域Ａ１２１の背景柄、背景色、又は文字色で表示される。例えば、前記投与量が適正である場合には、前記個別領域Ａ１２１の背景色が、前記管理画面Ｐ１の背景色と同じ白色などの色で表示され、前記投与量が適正でない場合には、前記個別領域Ａ１２１の背景色が、前記管理画面Ｐ１の背景色とは異なる赤色などの色（図８における斜線部）で表示される。
【００６８】
なお、前記制御部１１は、前記療法マスター及び前記療法歴データＤ１２に基づいて、患者への薬品の投与量が前記療法種別に対応する療法で定められた適正量であるか否かを判定することが可能である。例えば、前記制御部１１は、前記療法歴データＤ１２に療法歴として記録される薬品の投与量が、前記療法マスターで定められている前記療法における基準投与量と前記薬品の投与日における患者の身体情報とに基づいて算出される適正量を超える場合に、投与量が適正でないと判定する。即ち、前記投与量の適否の判定基準となる前記適正量は、前記薬品の投与日における前記患者の身体情報に応じて変化する。
【００６９】
例えば、前記療法マスターにおいて、「１ｍ2」の体表面積当たりの基準投与量が「９５．８９ｍｇ」と定められており、前記薬品の投与日における患者の体表面積が「１．４６ｍ2」である場合には、前記適正量が、「９５．８９ｍｇ」×「１．４６ｍ2」で「１４０ｍｇ」となる。この場合、前記療法歴データＤ１２における患者への薬品の投与量が、例えば前記適正量を超える「１５０ｍｇ」などであれば、前記投与量が適正でないと判定される。同様に、前記療法マスターにおいて、「１ｋｇ」の体重当たりの基準投与量が「９．２４ｍｇ」と定められており、前記薬品の投与日における患者の体重が「５６．３ｋｇ」である場合には、前記適正量が、「９．２４ｍｇ」×「５６．３ｋｇ」で「１２０ｍｇ」となる。この場合、前記療法歴データＤ１２における患者への薬品の投与量が、例えば前記適正量を超える「１３０ｍｇ」などであれば、前記投与量が適正でないと判定される。なお、前記制御部１１は、前記療法歴データＤ１２に療法歴を記録する際に、患者への薬品の投与量が前記療法種別に対応する療法で定められた適正量であるに行われたか否かを判定し、当該判定結果を前記療法歴データＤ１２に記録し、前記関連情報の表示の際にその記録内容を参照してもよい。
【００７０】
また、前記有害事象表示部Ａ１３において、前記制御部１１は、前記対象患者の有害事象を示す管理表を前記検査データＤ１３及び前記有害事象データＤ１４等に基づいて表示する。具体的に、前記管理表では、前記有害事象種別が前記第１方向Ｄ２１に並べて表示され、前記日付が前記第２方向Ｄ２２に時系列順に並べて表示され、当該有害事象種別と当該日付との組み合わせ各々に対応する個別領域Ａ１３１がマトリクス状に表示される。より具体的に、前記制御部１１は、前記有害事象表示部Ａ１３の管理表において、前記日付各々に対応して前記第１方向Ｄ２１に沿って複数の領域を表示する。ここで、前記領域各々は、前記第１方向Ｄ２１において前記有害事象種別各々に対応する位置にそれぞれ表示される。そして、前記制御部１１は、前記第１方向Ｄ２１における前記有害事象種別各々に対応する位置に表示される前記領域各々を前記個別領域Ａ１３１として、当該有害事象種別各々に関する前記関連情報を表示させる。即ち、前記管理表では、特定の有害事象種別が表示された位置を通過する前記第２方向Ｄ２２に平行な仮想線分と、特定の日付が表示された位置を通過する前記第１方向Ｄ２１に平行な仮想線分とが交差する位置に表示される前記領域が、当該特定の有害事象種別と当該特定の日付との組み合わせに対応する前記個別領域Ａ１３１である。なお、前記個別領域Ａ１３１は、本発明における第１領域に相当する。
【００７１】
例えば、図８の前記有害事象表示部Ａ１３では、前記療法種別の一例である「白血球数」、「好中球数」、「嘔吐」が前記第１方向Ｄ２１に沿って表示されている。また、図８の前記有害事象表示部Ａ１３では、前記日付の一例である「５／２８」〜「６／１２」が前記第２方向Ｄ２２に沿って時系列順で表示されている。なお、前記制御部１１は、前記有害事象表示部Ａ１３において、後述の特定領域Ａ１５を除き前記第２方向Ｄ２２の最初に表示される日付（図８では「５／２８」）、及び月が切り替わった直後の日付（図８では「６／１」）については、「月」及び「日」を表示するが、その他の日付については「月」の表示を省略して「日」のみを表示する。
【００７２】
そして、前記制御部１１は、前記個別領域Ａ１３１各々に、前記有害事象種別と前記日付との組み合わせに対応する前記有害事象種別に関する前記関連情報を、前記検査データＤ１３及び前記有害事象データＤ１４等に基づいて表示させる。
【００７３】
具体的に、前記有害事象種別に対応する前記関連情報は、前記有害事象種別に対応する検査結果の情報、前記グレードの情報、患者の状態を示す前記状態値、及び有害事象が発生しているか否かを示す有害事象有無の情報などである。そして、前記有害事象種別に対応する前記個別領域Ａ１３１では、前記検査結果を示す数値、前記グレードを示す数値、又は前記状態値を示す数値などが表示される。また、前記有害事象種別に対応する前記個別領域Ａ１３１では、有害事象有無の情報が当該個別領域Ａ１３１の背景柄、背景色、又は文字色で表示される。例えば、有害事象が発生していない場合には、前記個別領域Ａ１３１の背景色が、前記管理画面Ｐ１の背景色と同じ白色などの色で表示され、有害事象が発生している場合には、前記個別領域Ａ１３１の背景色が、前記管理画面Ｐ１の背景色とは異なる赤色などの色（図８における斜線部）で表示される。例えば、前記制御部１１は、前記有害事象データＤ１４において前記グレードが「１」以上である前記有害事象種別について有害事象が発生していると判定する。
【００７４】
なお、前記有害事象表示部Ａ１３では、表示対象となる情報が異なるタブＴ１１、Ｔ１２、Ｔ１３が含まれる。前記制御部１１は、前記タブＴ１１〜前記タブＴ１３のいずれかのタブの選択操作に応じて、前記有害事象データＤ１４に記憶された患者の有害事象の情報のうち当該タブに対応する表示対象の情報を抽出して前記有害事象表示部Ａ１３に表示させる。具体的に、前記タブＴ１１では、有害事象のうち他覚症状の情報が表示され、前記タブＴ１２では、有害事象のうち自覚症状の情報が表示される。また、前記タブＴ１３では、有害事象について他覚症状及び自覚症状の情報が共に表示される。なお、図８は、前記タブＴ１３が選択された状態である。また、前記タブＴ１３は省略されてもよい。
【００７５】
また、前記制御部１１は、前記有害事象表示部Ａ１３において、前記有害事象マスターＤ１で定められた各グレードに対応するグレード判定規準を表示させる。ところで、前記有害事象共通用語規準で定められているグレード判定規準は、一見するとその内容が把握しづらい場合がある。そのため、前記有害事象マスターＤ１において、前記グレード判定規準に対応するグレード条件の内容として、前記有害事象共通用語規準の原文文字列に対応付けて、医者、看護士、薬剤師などの医療従事者が前記グレード判定規準を把握可能な簡素な態様で当該グレード判定規準が示された表示文字列が記憶されていることが考えられる。そして、前記有害事象表示部Ａ１３では、前記有害事象のグレードの規準の情報は、前記表示文字列で表示されることが考えられる。
【００７６】
ところで、前記管理画面Ｐ１に表示される前記療法歴表示部Ａ１２又は前記有害事象表示部Ａ１３などに表示される前記管理表において、ユーザーが参照したい対象日付が、前記種別情報の表示位置から離れていると、当該対象日付における前記関連情報と前記種別情報との関係を把握しづらい。これに対し、前記制御部１１は、前記管理画面Ｐ１において、ユーザー操作によって選択される対象日付に対応する前記関連情報を、当該対象日付に対応する前記個別領域Ａ１２１だけでなく、前記種別情報に隣接する位置にも表示することが可能である。
【００７７】
具体的に、前記制御部１１は、前記療法歴表示部Ａ１２において、前記対象日付に対応する前記関連情報を、当該対象日付に対応する前記個別領域Ａ１２１とは別に、前記種別情報が表示される領域と最も古い日付が表示される領域との間の特定領域Ａ１４（第２領域の一例）にも表示する。また、前記制御部１１は、前記有害事象表示部Ａ１３において、前記対象日付に対応する前記関連情報を、当該対象日付に対応する前記個別領域Ａ１３１とは別に、前記種別情報が表示される領域と最も古い日付が表示される領域との間の特定領域Ａ１５（第２領域の一例）にも表示する。即ち、前記制御部１１は、前記管理画面Ｐ１において、前記管理表における前記対象日付及び他の日付についての前記関連情報の表示位置を変更することなく、当該対象日付についての前記関連情報を複製して前記特定領域Ａ１４又は前記特定領域Ａ１５に表示する。これにより、ユーザーは、参照したい前記対象日付に対応する薬品種別、療法種別、又は有害事象種別などの種別情報に関する前記関連情報を当該種別情報との関係を容易に把握しつつ確認することが可能である。
【００７８】
また、前記制御部１１は、前記管理画面Ｐ１の表示を開始する際、前記特定領域Ａ１４及び前記特定領域Ａ１５を表示させない、又は空白で表示してもよいが、本日の日付を前記対象日付として自動的に選択して前記特定領域Ａ１４及び前記特定領域Ａ１５を表示させてもよい。その後、前記制御部１１は、後述のステップＳ９において、前記対象日付の選択に応じて、前記特定領域Ａ１４及び前記特定領域Ａ１５における表示内容を更新する。
【００７９】
なお、本実施形態では、前記特定領域Ａ１４及び前記特定領域Ａ１５が、前記第２方向Ｄ２２における前記種別情報と最も古い日付との間であって当該種別情報の右側の領域である場合について説明するが、前記特定領域Ａ１４及び前記特定領域Ａ１５は、前記第２方向Ｄ２２における前記種別情報に対して最も古い日付とは反対側である前記種別情報の左側の領域であってもよい。
【００８０】
より具体的に、前記特定領域Ａ１４には、各種の情報が表示される特定領域Ａ１４１〜Ａ１４５が含まれる。前記特定領域Ａ１４１には、前記対象日付が表示される。ここで、前記制御部１１は、前記特定領域Ａ１４１に前記対象日付を表示する際には、当該対象日付の「月」及び「日」を共に表示させる。前記特定領域Ａ１４２及び前記特定領域Ａ１４３には、前記対象日付における患者の身体情報として体重及び体表面積が表示される。即ち、前記制御部１１は、前記適正量の算出時に用いられる患者の体重及び体表面積を前記特定領域Ａ１４２及び前記特定領域Ａ１４３に表示する。また、前記制御部１１は、前記管理画面Ｐ１において、前記日付各々についても同様に患者の体重及び体表面積を表示させる。
【００８１】
前記特定領域Ａ１４４には、前記対象日付に対応する前記個別領域Ａ１２１各々と同様の前記関連情報が表示される。即ち、前記療法種別に対応する前記特定領域Ａ１４４には、前記関連情報として、投薬実施済の情報、投薬予定の情報、及び投薬が前記療法種別に対応する療法に従って適正に行われたか否かを示す投薬適否の情報などが表示される。また、前記薬品種別に対応する前記特定領域Ａ１４４には、前記関連情報として、当該薬品種別に対応する薬品の投与量、及び当該薬品の投与量が予め設定された適正量の範囲内であるか否かを示す投与量適否の情報などが表示される。これにより、ユーザーは、参照したい前記対象日付に対応する前記療法種別及び前記薬品種別に関する前記関連情報を当該療法種別及び当該薬品種別との関係を容易に把握しつつ確認することが可能である。また、前記特定領域Ａ１４５には、前述したように患者への薬品の投与量が前記療法種別に対応する療法で定められた適正量であるか否かを判定する際の前記適正量が判定基準として表示される。これにより、ユーザーは、前記関連情報と前記判定基準とを容易に比較することが可能である。
【００８２】
また、前記特定領域Ａ１５には、各種の情報が表示される特定領域Ａ１５１及びＡ１５２が含まれる。前記特定領域Ａ１５１には、前記対象日付が表示される。ここで、前記制御部１１は、前記特定領域Ａ１５１に前記対象日付を表示する際には、当該対象日付の「月」及び「日」を共に表示させる。前記特定領域Ａ１５２には、前記対象日付に対応する前記個別領域Ａ１３１各々と同様の前記関連情報が表示される。即ち、前記特定領域Ａ１５２には、前記関連情報として、前記有害事象種別に対応する検査結果の情報、前記グレードの情報、患者の状態を示す前記状態値、及び有害事象が発生しているか否かを示す有害事象有無の情報などが表示される。これにより、ユーザーは、参照したい前記対象日付に対応する前記有害事象種別に関する前記関連情報を当該有害事象種別との関係を容易に把握しつつ確認することが可能である。
【００８３】
なお、本実施形態では、前記制御部１１が前記管理画面Ｐ１に前記療法歴表示部Ａ１２を表示する場合について説明するが、前記制御部１１は、前記療法歴表示部Ａ１２に代えて、前記対象患者の薬歴を示す管理表が表示される薬歴表示部を前記薬歴データＤ１１に基づいて前記管理画面Ｐ１に表示してもよい。この場合、前記制御部１１は、前記薬品種別が前記第１方向Ｄ２１に並べて表示され、前記日付が前記第２方向Ｄ２２に時系列順に並べて表示され、当該薬品種別及び当該日付の組み合わせに対応する個別領域がマトリクス状に表示される管理表を前記薬歴表示部に表示する。前記薬歴表示部では、前記管理表において、前記個別領域各々に、前記薬品種別に対応する薬品の処方量、及び当該処方量の適否に関する情報などが前記関連情報として表示される。そして、前記薬歴表示部においても、前記管理表では、前記対象日付に対応する前記関連情報が、当該対象日付に対応する前記個別領域とは別に、前記種別情報が表示される領域と最も古い日付が表示される領域との間の特定領域（第２領域の一例）にも表示される。なお、前記制御部１１は、前記薬歴表示部、前記療法歴表示部Ａ１２、及び前記有害事象表示部Ａ１３のうちいずれか一又は複数を前記管理画面Ｐ１に表示させることが可能であればよい。
【００８４】
＜ステップＳ２＞
ステップＳ２において、前記制御部１１は、前記有害事象表示部Ａ１３において前記タブＴ１１〜Ｔ１３のいずれかのタブの切替操作が行われたか否かを判断する。ここで、前記切替操作が行われたと判断されると（Ｓ２：Ｙｅｓ）、処理がステップＳ３に移行し、前記切替操作が行われていなければ（Ｓ２：Ｎｏ）、処理がステップＳ４に移行する。
【００８５】
＜ステップＳ３＞
ステップＳ３において、前記制御部１１は、前記ステップＳ２で操作されたと判断されたタブに応じて前記有害事象表示部Ａ１３における表示を更新する。具体的に、前記制御部１１は、前記タブＴ１１が操作された場合には、前記有害事象のうち他覚症状のみについての情報を前記有害事象表示部Ａ１３に表示させる。また、前記制御部１１は、前記タブＴ１２が操作された場合には、前記有害事象のうち自覚症状のみについての情報を前記有害事象表示部Ａ１３に表示させる。さらに、前記制御部１１は、前記タブＴ１３が操作された場合には、前記有害事象のうち他覚症状及び自覚症状の両方についての情報を前記有害事象表示部Ａ１３に表示させる。
【００８６】
＜ステップＳ４＞
ステップＳ４において、前記制御部１１は、前記有害事象表示部Ａ１３に表示されている前記有害事象種別のいずれかについての展開切替操作が行われたか否かを判断する。具体的に、前記有害事象表示部Ａ１３には、前記有害事象種別各々に対応付けて操作キーＫ１３が表示されている。そして、前記制御部１１は、前記操作キーＫ１３が操作された場合に、当該操作キーＫ１３に対応する前記有害事象種別について展開切替操作が行われたと判断する。ここで、前記展開切替操作が行われたと判断されると（Ｓ４：Ｙｅｓ）、処理がステップＳ５に移行し、前記展開切替操作が行われていなければ（Ｓ４：Ｎｏ）、処理がステップＳ６に移行する。
【００８７】
＜ステップＳ５＞
ステップＳ５において、前記制御部１１は、前記有害事象表示部Ａ１３に表示されている前記有害事象種別のうち前記展開切替操作が行われた有害事象について展開表示の有無を切り替える。具体的に、図８に示されるように、前記操作キーＫ１３に「＋」が表示されている場合には、当該操作キーＫ１３に対応する前記有害事象種別について展開表示が行われていない非展開状態である。一方、前記操作キーＫ１３に「−」が表示されている場合には、当該操作キーＫ１３に対応する前記有害事象種別について展開表示が行われている展開状態である。そして、前記展開状態で前記操作キーＫ１３が操作されると、当該操作キーＫ１３に対応する有害事象の表示が前記非展開状態に切り替えられ、前記非展開状態で前記操作キーＫ１３が操作されると、当該操作キーＫ１３に対応する有害事象の表示が前記展開状態に切り替えられる。
【００８８】
より具体的に、前記有害事象種別が非展開状態である場合、前記制御部１１は、前記有害事象表示部Ａ１３において、当該有害事象種別及び前記日付の組み合わせ各々に対応する事象領域Ａ１３３を表示させる。前記事象領域Ａ１３３では、前記個別領域Ａ１３１が２段表示され、上段の前記個別領域Ａ１３１には前記グレードの判定に用いられる検査値又は状態値が表示され、下段の前記個別領域Ａ１３１には前記グレードが表示されている。なお、前記制御部１１は、前記事象領域Ａ１３３において下段の前記個別領域Ａ１３１の背景柄、背景色、又は文字色を前記グレードに対応して予め設定された背景柄、背景色、又は文字色で表示させる。
【００８９】
また、前記有害事象種別が展開状態である場合、前記制御部１１は、前記有害事象表示部Ａ１３において、当該有害事象種別及び前記日付の組み合わせ各々に対応する事象領域Ａ１３４を表示させる。前記事象領域Ａ１３４では、前記個別領域Ａ１３１が複数表示されており、最上段の前記個別領域Ａ１３１には、前記グレードの判定に用いられる検査値又は状態値が表示され、当該個別領域Ａ１３１の下方の前記個別領域Ａ１３１各々は、前記グレード各々に対応する領域である。そして、前記制御部１１は、前記グレード各々に対応する前記個別領域Ａ１３１のうち前記有害事象種別に対応する前記グレードに対応する前記個別領域Ａ１３１の背景柄、背景色、又は文字色を、当該グレードに対応して予め設定された背景柄、背景色、又は文字色で表示させる。これにより、ユーザーは、前記有害事象種別の前記グレードの遷移を一見して把握することが可能である。
【００９０】
＜ステップＳ６＞
ステップＳ６において、前記制御部１１は、前記管理画面Ｐ１に表示される複数の管理表において前記対象日付の選択の同期の有無を切り替える同期有無切替操作が行われたか否かを判断する。具体的に、前記管理画面Ｐ１には、前記対象日付の選択を同期させるか否かを切り替えるための操作を受け付ける操作部として操作キーＫ１４が表示されている。そして、前記制御部１１は、前記操作キーＫ１４が操作された場合に、前記同期有無切替操作が行われたと判断する。ここで、前記同期有無切替操作が行われたと判断されると（Ｓ６：Ｙｅｓ）、処理がステップＳ７に移行し、前記同期有無切替操作が行われていなければ（Ｓ６：Ｎｏ）、処理がステップＳ８に移行する。
【００９１】
＜ステップＳ７＞
ステップＳ７において、前記制御部１１は、前記療法歴表示部Ａ１２と前記有害事象表示部Ａ１３とにおける前記対象日付の選択の同期の有無を切り替える。具体的に、前記対象日付の選択の同期が有りに設定されている状態である場合には、前記対象日付の選択の同期が無しに変更され、前記対象日付の選択の同期が無しに設定されている状態である場合には、前記対象日付の選択の同期が有りに変更される。なお、前記管理画面Ｐ１の表示開始時には、前記対象日付の選択の同期が予め設定された有り又は無しの状態である。
【００９２】
＜ステップＳ８＞
ステップＳ８において、前記制御部１１は、前記療法歴表示部Ａ１２又は前記有害事象表示部Ａ１３において前記対象日付を選択するための操作が行われたか否かを判断する。なお、前記対象日付の選択を受ける前記ステップＳ８が本発明に係る選択ステップの一例であり、当該選択ステップは前記制御部１１の選択処理部１１３によって実行される。そして、前記対象日付が選択されたと判断されると（Ｓ８：Ｙｅｓ）、処理がステップＳ９に移行し、前記対象日付が選択されていないと判断されると（Ｓ８：Ｎｏ）、処理がステップＳ１０に移行する。
【００９３】
具体的に、前記制御部１１は、図８に示されるように、前記療法歴表示部Ａ１２又は前記有害事象表示部Ａ１３において各日付に対応する選択領域Ａ１２２又は選択領域Ａ１３２のいずれかの位置を選択する操作を、当該日付を前記対象日付として選択する操作として受け付け、選択された前記対象日付を識別可能な表示態様で表示する。例えば、前記表示態様は、前記選択領域Ａ１２２の一部又は全部の領域の背景色又は文字色の反転表示、又は前記選択領域Ａ１２２を囲む太枠の表示などである。なお、前記制御部１１は、前記療法歴表示部Ａ１２又は前記有害事象表示部Ａ１３における日付及び当該日付の曜日のいずれかの位置を選択する操作のみを、当該日付を前記対象日付として選択する操作として受け付けてもよい。これにより、前記制御部１１は、例えば前記日付に対応する前記個別領域Ａ１２１又は前記個別領域Ａ１３１の操作を、当該個別領域Ａ１３１に対応する前記関連情報の詳細情報を表示するための操作として受け付けることが可能である。
【００９４】
＜ステップＳ９＞
前記ステップＳ８により前記対象日付の選択が受け付けられると（Ｓ８：Ｙｅｓ）、続くステップＳ９において、前記制御部１１は、前記療法歴表示部Ａ１２及び前記有害事象表示部Ａ１３のいずれか一方又は両方における前記対象日付を変更するための処理を実行する。
【００９５】
ここで、前記対象日付の選択の同期が有りに設定されている場合、前記制御部１１は、前記対象日付の選択操作に応じて、前記療法歴表示部Ａ１２及び前記有害事象表示部Ａ１３に表示される複数の前記管理表について、前記対象日付を変更するための処理を実行する。例えば、図８に示されるように、前記療法歴表示部Ａ１２において前記対象日付として「６／１０」が選択された場合に、前記有害事象表示部Ａ１３においても「６／１０」が前記対象日付として選択される。具体的に、前記制御部１１は、前記療法歴表示部Ａ１２の前記特定領域Ａ１４及び前記有害事象表示部Ａ１３の前記特定領域Ａ１５各々に、前記ステップＳ８で選択された前記対象日付に対応する前記関連情報を表示させる。即ち、前記制御部１１の前記選択処理部１１３は、前記療法歴表示部Ａ１２及び前記有害事象表示部Ａ１３に表示されている複数の前記管理表のいずれかにおける前記対象日付の選択操作を、当該複数の管理表における前記対象日付の選択操作として受け付ける。
【００９６】
一方、前記対象日付の選択の同期が無しに設定されている場合、前記制御部１１は、前記対象日付の選択操作に応じて、前記療法歴表示部Ａ１２及び前記有害事象表示部Ａ１３に表示される複数の前記管理表のうち当該対象日付の選択操作が行われた一方の前記管理表のみについて、前記対象日付を変更するための処理を実行する。具体的に、前記制御部１１は、前記療法歴表示部Ａ１２の前記特定領域Ａ１４及び前記有害事象表示部Ａ１３の前記特定領域Ａ１５のうち、前記対象日付の選択操作が行われた一方のみに、前記ステップＳ８で選択された前記対象日付に対応する前記関連情報を表示させる。即ち、前記制御部１１の前記選択処理部１１３は、前記療法歴表示部Ａ１２及び前記有害事象表示部Ａ１３に表示されている複数の前記管理表のいずれかにおける前記対象日付の選択操作を、当該選択操作が行われた前記管理表のみにおける前記対象日付の選択操作として受け付ける。
【００９７】
＜ステップＳ１０＞
ステップＳ１０において、前記制御部１１は、前記有害事象表示部Ａ１３に表示されている前記有害事象種別について特定の日付に対応するグレードを登録するためのグレード登録操作が行われたか否かを判断する。具体的に、前記制御部１１は、前記有害事象表示部Ａ１３において、前記有害事象種別のうち数値入力に応じて前記グレードが分類可能な第１自覚症状については、前記事象領域Ａ１３３の上段の前記個別領域Ａ１３１への数値入力を、当該数値に対応する前記グレードを登録するための前記グレード登録操作として受け付ける。また、前記有害事象表示部Ａ１３において、前記有害事象種別のうち前記第１自覚症状を除く第２自覚症状については前記事象領域Ａ１３４における前記個別領域Ａ１３１の選択操作を当該個別領域Ａ１３１に対応する前記グレードを登録するための前記グレード登録操作として受け付ける。ここで、前記グレード登録操作が行われたと判断されると（Ｓ１０：Ｙｅｓ）、処理がステップＳ１１に移行し、前記グレード登録操作が行われていなければ（Ｓ１０：Ｎｏ）、処理がステップＳ１２に移行する。
【００９８】
＜ステップＳ１１＞
ステップＳ１１において、前記制御部１１は、前記グレード登録操作に応じて前記有害事象種別について前記グレードを前記有害事象データＤ１４に登録する。具体的に、前記制御部１１は、前記有害事象種別のうち数値入力に応じて前記グレードが分類可能な第１自覚症状については数値入力に応じて、当該数値入力が属する前記グレードを判定し、当該グレードを前記事象領域Ａ１３３の下段の前記個別領域Ａ１３１に表示させると共に、前記有害事象データＤ１４に登録する。また、前記制御部１１は、前記自覚症状のうち前記第１自覚症状を除く第２自覚症状については前記事象領域Ａ１３４における前記個別領域Ａ１３１の選択操作に応じて当該個別領域Ａ１３１に対応する前記グレードを当該日付に対応するグレードとして前記有害事象データＤ１４に登録する。
【００９９】
＜ステップＳ１２＞
ステップＳ１２において、前記制御部１１は、確認シートＰ１１の印刷要求が行われたか否かを判断する。具体的に、前記制御部１１は、前記管理画面Ｐ１に表示される操作部Ｋ１１が操作された場合に、前記確認シートＰ１１の印刷要求が行われたと判断する。ここで、前記確認シートＰ１１の印刷要求が行われたと判断されると（Ｓ１２：Ｙｅｓ）、処理がステップＳ１３に移行し、前記確認シートＰ１１の印刷要求が行われていないと判断されると（Ｓ１２：Ｎｏ）、処理がステップＳ１４に移行する。
【０１００】
＜ステップＳ１３＞
ステップＳ１３において、前記制御部１１は、前記確認シートＰ１１を印刷するための処理を実行する。具体的に、前記制御部１１は、前記管理画面Ｐ１に表示されている一又は複数の管理表の内容を含む前記確認シートＰ１１を印刷するための印刷データを生成し、当該印刷データを前記プリンター３に送信することによって当該プリンター３に前記確認シートＰ１１の印刷処理を実行させる。ここで、前記制御部１１は、前記管理画面Ｐ１の表示内容を、そのまま前記確認シートＰ１１として印刷してもよいが、前記制御部１１は、前記管理画面Ｐ１に表示される前記管理表と表示内容又は表示態様が異なる特定のフォーマットで前記確認シートＰ１１を印刷してもよい。例えば、前記確認シートＰ１１は、前記療法に基づいて患者に抗がん剤などの投薬を行う業務において、当該投薬についての事前の確認業務に用いられる。
【０１０１】
具体的に、前記制御部１１は、前記管理画面Ｐ１に表示されている一又は複数の管理表のうち前記個別領域Ａ１２１に前記関連情報が入力されている日付の前記関連情報が含まれ、前記個別領域Ａ１２１に前記関連情報が入力されていない日付の情報が省略された前記確認シートＰ１１の印刷データを生成する。
【０１０２】
ここに、図９は、前記ステップＳ１３で印刷される前記確認シートＰ１１の一例を示す図である。図９に示されるように、前記確認シートＰ１１には、前記管理画面Ｐ１の前記療法歴表示部Ａ１２及び前記有害事象表示部Ａ１３に表示されている前記管理表各々について、前記個別領域Ａ１２１に前記関連情報が入力されている日付に対応する前記関連情報が、前記対象日付から遡って予め設定された日数分だけ表示される領域Ａ２１及び領域Ａ２２が印刷されている。
【０１０３】
具体的に、図８に示されている前記療法歴表示部Ａ１２では、前記個別領域Ａ１２１に前記関連情報が入力されている日付は、「５／２８」、「５／２９」、「５／３０」、「５／３１」、「６／５」、「６／１０」、「６／１１」、「６／１２」の６日間である。また、前記療法歴表示部Ａ１２では、「６／１０」が前記対象日付として選択されている。この場合、前記確認シートＰ１１では、図９に示されるように、前記領域Ａ２１及び前記領域Ａ２２各々において、前記対象日付である「６／１０」から前記第２方向Ｄ２２に向けて徐々に遡って６日間の日付が表示され、当該日付各々に対応する前記関連情報が表示される。
【０１０４】
即ち、図９に示されている前記確認シートＰ１１の前記領域Ａ２１では、前記療法種別及び前記薬品種別が前記第１方向Ｄ２１に並べて印刷されており、「６／１０」、「６／５」、「５／３１」、「５／３０」、「５／２９」、「５／２８」の日付が前記第２方向Ｄ２２に並べて印刷されている。そして、前記療法種別又は前記薬品種別と前記日付とに対応する領域Ａ２２１各々に当該日付に対応する前記関連情報が印刷されている。また、前記領域Ａ２２１では、前記管理画面Ｐ１における前記個別領域Ａ１２１と同様に、前記投薬が適正であるか否かが、当該領域Ａ２２１における背景柄、背景色、又は文字色などによって示される。
【０１０５】
同様に、図９に示されている前記確認シートＰ１１の前記領域Ａ２２では、前記有害事象種別が前記第１方向Ｄ２１に並べて印刷されており、「６／１０」、「６／５」、「５／３１」、「５／３０」、「５／２９」、「５／２８」の日付が前記第２方向Ｄ２２に並べて印刷されている。そして、前記有害事象種別と前記日付とに対応する領域Ａ２２２各々に当該日付に対応する前記関連情報として当該有害事象種別に対応する検査項目の検査結果の情報が印刷されている。また、前記領域Ａ２２２では、前記管理画面Ｐ１における前記個別領域Ａ１３１と同様に、前記有害事象種別について有害事象が発生しているか否かが、当該領域Ａ２２２における背景柄、背景色、又は文字色などによって示される。
【０１０６】
また、前記制御部１１は、前記管理画面Ｐ１では、日付を前記第２方向Ｄ２２に沿って古い日付から新しい日付に向けて並べて表示するが、前記確認シートＰ１１では、日付を前記第２方向Ｄ２２に沿って新しい日付から古い日付に向けて遡るように並べて印刷する。これにより、ユーザーは、前記管理画面Ｐ１については、時系列に沿った薬歴、療法歴及び有害事象などの遷移を参照することが可能であり、前記確認シートＰ１１については、限られた紙面スペースの中で前記対象日付に近い薬歴、療法歴及び有害事象などを優先して参照することが可能である。なお、前記確認シートＰ１１においても、前記管理画面Ｐ１と同様に、日付が前記第２方向Ｄ２２に沿って古い日付から順に時系列順で並べられてもよい。
【０１０７】
なお、前記制御部１１による前記確認シートＰ１１への印刷対象となる日付は、前記対象日付から遡って所定日数分であってもよいが、本日から遡って所定日数分であってもよい。また、前記制御部１１は、図９に示されるように、前記確認シートＰ１１に薬歴を印刷してもよい。例えば、前記確認シートＰ１１への前記印刷対象となる日付を服用期間に含まれる薬歴が存在するか否かを前記薬歴データＤ１２に基づいて判断し、当該薬歴が存在する場合には、当該薬歴を前記確認シートＰ１１に印刷することが考えられる。なお、前記確認画面Ｐ１において、前記療法歴表示部Ａ１２に代えて前記薬歴表示部が表示される場合には、例えば前記確認シートＰ１１に、前記薬歴表示部に表示される管理表と同様の情報又は前記管理情報が存在する日付の薬歴が印刷される。
【０１０８】
＜ステップＳ１４＞
ステップＳ１４において、前記制御部１１は、当該情報管理処理の実行終了操作が行われたか否かを判断し、前記実行終了操作が行われると（Ｓ１４：Ｙｅｓ）、当該情報管理処理を終了させ、前記実行終了操作が行われていなければ（Ｓ１４：Ｎｏ）、処理を前記ステップＳ２に戻す。
【０１０９】
以上説明したように、本実施形態に係る前記情報管理システム１０では、前記管理画面Ｐ１において、前記管理表における前記対象日付及び他の日付についての前記関連情報の表示位置を変更することなく、当該対象日付についての前記関連情報が複製されて前記特定領域Ａ１４又は前記特定領域Ａ１５に表示される。従って、ユーザーは、参照したい前記対象日付に対応する薬品種別、療法種別、又は有害事象種別などの種別情報に関する前記関連情報を当該種別情報との関係を容易に把握しつつ確認することが可能である。
【０１１０】
［鑑査支援機能］
ところで、薬局又は病院などの医療機関では、前記処方データに基づいて薬品の調剤が行われた後、当該調剤の適否を鑑査する最終鑑査業務が薬剤師などによって行われる。前記情報管理システム１０では、前記制御部１１が、前記最終鑑査業務を支援するための鑑査支援画面Ｐ２を前記クライアント端末２に表示させる鑑査支援機能を備えることが考えられる。具体的に、前記制御部１１は、対象となる患者及び処方データが選択され、最終鑑査を開始するためのユーザー操作を前記クライアント端末２から受け付けた場合に、当該処方データを鑑査するための前記鑑査支援画面Ｐ２を前記クライアント端末２に表示させる。
【０１１１】
ここに、図１０は、前記鑑査支援画面Ｐ２の一例を示す図である。図１０に示されるように、前記鑑査支援画面Ｐ２では、前記処方データに基づいて、患者の情報、及び、処方薬品の薬品名、用法、用量などの情報が表示される。そして、前記制御部１１は、前記鑑査支援画面Ｐ２が表示されている状態で、例えば前記処方薬品に対応するコード情報が不図示のバーコードリーダーを用いて読み取られた場合に、当該処方薬品が適切に調剤されたと判断し、当該処方薬品についての最終鑑査を完了させる。
【０１１２】
ところで、前記情報管理システム１０では、前記制御部１１が、前記上位システム５から入力される前記処方データについて、予め設定された各種のチェック項目の適否を、当該チェック項目ごとに予め設定された判定条件を示す判定情報に基づいて判定する処方チェク処理が実行されることがある。そして、前記処方チェック処理では、前記チェック項目のいずれかが適正でないと判断された場合には、ユーザーにエラーを報知する報知処理が実行される。
【０１１３】
例えば、前記チェック項目には、「相互作用」、「重複（同薬効、同薬品、同成分）」、「投与量」、「配合変化」、「服用区分」などの項目が含まれる。「相互作用」は、前記処方データに含まれる薬品の組み合わせに禁忌又は注意があるか否かに関するチェック項目である。「重複（同薬効、同薬品、同成分）」は、前記処方データに含まれる薬品の重複の有無に関するチェック項目である。「投与量」は、前記処方データに含まれる薬品の投与量が所定範囲内であるか否かに関するチェック項目である。「配合変化」は、注射薬品を混合する場合の異常の有無に関するチェック項目である。「服用区分」は、前記処方データに含まれる薬品の服用時期が当該薬品について予め設定された服用時期と一致するか否かに関するチェック項目である。
【０１１４】
例えば、前記判定情報には、「相互作用」の前記チェック項目に対応する前記判定条件を示す情報として、相互作用に禁忌がある薬品の組み合わせを示す併用禁忌薬情報、及び、相互作用に注意がある薬品の組み合わせを示す併用注意薬情報が含まれる。そして、前記処方チェック処理では、前記処方データに対応する患者に処方される複数の薬品が前記併用禁忌薬情報に示された薬品の組み合わせを含む場合には、前記処方チェック処理の結果がエラーとなり、当該処方チェック処理のチェック結果に「併用禁忌」のエラー内容が含まれることになる。同様に、前記処方データに対応する患者に処方される複数の薬品が前記併用注意薬情報に示された薬品の組み合わせを含む場合は、前記処方チェック処理の結果がエラーとなり、当該処方チェック処理のチェック結果に「併用注意」のエラー内容が含まれることになる。なお、前記併用禁忌薬情報及び前記併用注意薬情報は、前記薬品マスターにおいて薬品ごとに記憶されていてもよい。その他、前記判定情報には、「投与量」の前記チェック項目に対応する前期判定条件として、薬品ごとの投与量の最大量及び最小量の情報が含まれる。そして、前記処方チェック処理では、前記処方データに対応する患者に処方される薬品の投与量が前記最大量を超えている場合には、前記処方チェック処理の結果がエラーとなり、当該処方チェック処理のチェック結果に「投与量最大超過」のエラー内容が含まれることになる。また、前記投与量が前記最小量を下回っている場合には、前記処方チェック処理の結果がエラーとなり、当該処方チェック処理のチェック結果に「投与量最小超過」のエラー内容が含まれることになる。
【０１１５】
ここで、前記制御部１１は、前記処方チェック処理で適否が判定される前記チェック項目のうち、特定の患者について頻繁にエラーが発生するチェック項目については、ユーザー操作に応じて、前記処方チェック処理でエラーとして報知される対象から除外するように設定することが可能である。これにより、特定の患者についての前記チェック項目についてのエラーの報知に起因するユーザーの確認作業が軽減される。
【０１１６】
しかしながら、特定のチェック項目のエラーが前記処方チェク処理における報知対象から除外されるように設定が行われた後、当該設定を行った他のユーザーが、その設定が行われていることに気付かなければ、前記特定のチェック項目については前記報知対象から除外された状態がいつまでも継続するおそれがある。また、前記設定を行ったユーザーがその設定を行ったことを失念した場合も同様である。
【０１１７】
そこで、前記制御部１１は、前記処方チェック処理でエラーを報知する報知対象から除外された前記チェック項目が設定されている場合には、その情報を前記鑑査支援画面Ｐ２に表示させる。これにより、ユーザーは、前記最終鑑査業務を行う際に、前記報知対象から除外している前記チェック項目の存在を把握することが可能である。具体的に、前記鑑査支援画面Ｐ２では、前記報知対象から除外された前記チェック項目が存在する旨を示す除外情報として、「「次回処方チェックしない」データがあります」のメッセージが領域Ａ３１に表示されている。なお、前記制御部１１は、前記処方チェック処理でエラーを報知する報知対象から除外された前記チェック項目が存在する場合であって、前記処方チェック処理において当該チェック項目についてエラーが生じている場合に、前記除外情報を前記領域Ａ３１に表示させる。一方、前記制御部１１は、前記処方チェック処理でエラーを報知する報知対象から除外された前記チェック項目が存在する場合には、前記処方チェック処理において当該チェック項目についてエラーが生じているか否かにかかわらず、常に前記除外情報を前記領域Ａ３１に表示させてもよい。
【０１１８】
ところで、前記鑑査支援画面Ｐ２を参照しつつ前記最終鑑査業務が行われる際、ユーザーは、当該鑑査支援画面Ｐ２における鑑査対象の前記処方データよりも前に発行された過去の処方データの履歴、又は、鑑査対象の前記処方データに対応する患者についての薬歴又は検査履歴などを参照したい場合がある。そこで、前記制御部１１は、前記鑑査支援画面Ｐ２に、過去の処方データの履歴を表示するための操作部Ｋ３１と、患者の薬歴又は検査履歴などを表示するための操作部Ｋ３２とを表示する。
【０１１９】
そして、前記制御部１１は、前記操作部Ｋ３１が操作された場合には、図１１に示されるように、前記鑑査対象の処方データよりも前に発行された過去の処方データの内容が表示される前回処方画面Ｐ３をクライアント端末２に表示させる。具体的に、図１１に示されるように、前記前回処方画面Ｐ３では、前記過去の処方データの内容が、新しい処方データから順に優先して表示される。また、前記制御部１１は、前記前回処方画面Ｐ３に表示される操作部Ｋ４１の操作に応じて、複数の前記過去の処方データの内容を順次表示させることが可能である。なお、前記制御部１１は、前記前回処方画面Ｐ３に表示される操作部Ｋ４２の操作に応じて、前記過去の処方データについて前記前回処方画面Ｐ３に同時に表示されない内容を順次表示させることも可能である。前記前回処方画面Ｐ３は、前記鑑査支援画面Ｐ２の一部に重ねてポップアップ表示されてもよいが、前記鑑査支援画面Ｐ２に代えて前記前回処方画面Ｐ３が画面全体に表示されてもよい。前記鑑査支援画面Ｐ２に代えて前記前回処方画面Ｐ３が画面全体に表示される場合、当該前回処方画面Ｐ３には、前記鑑査支援画面Ｐ２に表示を戻すための操作部が表示されており、前記制御部１１は、当該操作部の操作に応じて前記前回処方画面Ｐ３から前記鑑査支援画面Ｐ２に表示を遷移させる。これにより、ユーザーは、前記最終鑑査業務を行う際に、必要に応じて過去の処方データの内容を前記前回処方画面Ｐ３で容易に確認することが可能である。
【０１２０】
また、前記制御部１１は、前記操作部Ｋ３２が操作された場合には、前記鑑査支援画面Ｐ２に代えて、図８に示される前記管理画面Ｐ１を表示させ、当該管理画面Ｐ１において、患者の薬歴又は検査履歴などを表示させる。具体的に、前記制御部１１は、前記管理画面Ｐ１に、前記薬歴表示部と前記有害事象表示部Ａ１３とを表示させることが考えられる。なお、前記管理画面Ｐ１に代えて、前記薬歴又は前記検査履歴などを別の表示態様で表示させるための履歴画面（不図示）が別途表示されてもよい。なお、前記管理画面Ｐ１又は前記履歴画面では、前記鑑査支援画面Ｐ２に表示を戻すための操作部が表示されており、前記制御部１１は、当該操作部の操作に応じて前記管理画面Ｐ１又は前記履歴画面から前記鑑査支援画面Ｐ２に表示を遷移させる。これにより、ユーザーは、前記最終鑑査業務を行う際に、必要に応じて患者の薬歴又は検査履歴などを前記管理画面Ｐ１又は前記履歴画面で容易に確認することが可能である。
【符号の説明】
【０１２１】
１      サーバー
１１    制御部
１１１  取得処理部
１１２  表示処理部
１１３  選択処理部
１１４  印刷処理部
１２    記憶部
１３    通信Ｉ／Ｆ
１４    表示装置
１５    操作装置
１６    ドライブ装置
２      クライアント端末
３      プリンター
５      上位システム
１０    情報管理システム
【図１】
2020187433.tif 000003
【図２】
2020187433.tif 000004
【図３】
2020187433.tif 000005
【図４】
2020187433.tif 000006
【図５】
2020187433.tif 000007
【図６】
2020187433.tif 000008
【図７】
2020187433.tif 000009
【図８】
2020187433.tif 000010
【図９】
2020187433.tif 000011
【図１０】
2020187433.tif 000012
【図１１】
2020187433.tif 000013